(57)【特許請求の範囲】
【請求項１】
原稿を支持する原稿支持面と、前記原稿支持面の端縁を保持する枠体とを有する本体部と、
前記本体部内に収容され、前記原稿支持面に支持された原稿の画像を読み取る読取部と、
前記本体部に対して揺動軸心周りで揺動可能に設けられることにより、前記原稿支持面を覆う閉鎖位置と、前記原稿支持面を露出させる開放位置とに変位可能な開閉部とを備え、
前記枠体は、前記原稿支持面に隣接し、前記原稿支持面に平行な第１方向に延設される第１面と、前記第１面に連続し、前記原稿支持面に垂直な第２方向に延設される第２面と、前記第２面と連続し、前記第１面及び前記原稿支持面に所定間隔を有して対向する第３面とを含み、
前記揺動軸心は、前記原稿支持面における所定の一辺と平行に延び、前記第２方向において前記第１面と前記第３面との間に位置し、かつ前記第１方向において前記第２面と前記原稿支持面の所定の一辺との間に位置していることを特徴とする読取装置。
【請求項２】
前記本体部と前記開閉部との間に設けられ、前記揺動軸心を構成するヒンジを備え、
前記ヒンジは、前記揺動軸心を構成する軸支部と、前記軸支部と一体をなし、前記第２方向に延びる基部とを有し、
前記本体部は、前記第１面に形成され、前記基部を前記第２方向で移動可能に挿通させる挿通孔を有し、
前記開閉部は、前記閉鎖位置で前記第１面と対向する対向面を有し、
前記第２面及び前記対向面の少なくとも一方には、前記開閉部が前記開放位置にある時に他方に向かって突出する凸部が設けられている請求項１記載の読取装置。
【請求項３】
前記ヒンジは、前記第１方向において前記第２面よりも内側に位置している請求項２記載の読取装置。
【請求項４】
前記凸部は、前記第２面に形成され、前記第２方向に延びる第１リブを有する請求項２又は３記載の読取装置。
【請求項５】
前記第１面と前記第２面との間には、前記第１面と前記第２面とを円筒状に接続する湾曲面が形成され、
前記凸部は、前記湾曲面に形成される第２リブを有する請求項２乃至４のいずれか１項記載の読取装置。
【請求項６】
前記凸部は、前記第２面に形成され、前記第２方向に延びる第１リブを有し、前記第２リブは前記第１リブと連続している請求項５記載の読取装置。
【請求項７】
前記本体部は、前記第２方向に延び、かつ前記第１方向において、前記第２面よりも外側に向けて突出する第４面を有している請求項１乃至６のいずれか１項記載の読取装置。
【請求項８】
前記第４面には、前記本体部に供給されるシートを載置する給紙トレイが設けられている請求項７記載の読取装置。
【発明の詳細な説明】
【技術分野】
【０００１】
本発明は読取装置に関する。
【背景技術】
【０００２】
特許文献１に従来の読取装置の例が開示されている。この読取装置は、本体部と読取部と開閉部とを備えている。本体部は、原稿を支持する原稿支持面と、原稿支持面の端縁を保持する略矩形状の枠体とを有している。原稿支持面は、本体部の左右方向に延びる前辺及び後辺と、前辺と後辺とに直交して延びる右辺及び左辺とを有しており、矩形状をなしている。枠体は、上面と後面と底面とを含んでいる。上面は、原稿支持面に隣接して原稿支持面と平行で前後方向に延設されている。後面は、上面と連続しつつ原稿支持面に対して高さ方向で下方に向かって略垂直に延設されている。底面は、後面に連続して形成されており、上面及び原稿支持面に所定間隔を有して対向している。読取部は、本体部内に収容されており、原稿支持面に支持された原稿の画像を読み取ることが可能となっている。
【０００３】
開閉部は、本体部に対して水平な揺動軸心周りで揺動可能に設けられており、本体部の上方に位置している。揺動軸心は、原稿支持面における後辺と平行、すなわち、本体部の左右方向に延びている。また、同文献の図７に示すように、揺動軸心は、高さ方向において枠体の上面よりも上方側であって、かつ前後方向において後面と原稿支持面の後辺との間に位置している。開閉部は、この本体部に対して揺動軸心周りで揺動することにより、原稿支持面を覆う閉鎖位置と、原稿支持面を露出させる開放位置とに変位可能である。
【先行技術文献】
【特許文献】
【０００４】
【特許文献１】特許第５０７５８４７号公報
【発明の概要】
【発明が解決しようとする課題】
【０００５】
このような読取装置では、ますます小型化が要求されている。この点、上記従来の読取装置では、揺動軸心が高さ方向において枠体の上面よりも上方側に位置しているため、揺動軸心が上面よりも上方側に位置する分だけ高さ方向への大型化が不可避となり、装置の小型化の実現が難しい。
【０００６】
本発明は、上記従来の実情に鑑みてなされたものであって、小型化を実現可能な読取装置を提供することを目的とする。
【課題を解決するための手段】
【０００７】
本発明の読取装置は、原稿を支持する原稿支持面と、前記原稿支持面の端縁を保持する枠体とを有する本体部と、
前記本体部内に収容され、前記原稿支持面に支持された原稿の画像を読み取る読取部と、
前記本体部に対して揺動軸心周りで揺動可能に設けられることにより、前記原稿支持面を覆う閉鎖位置と、前記原稿支持面を露出させる開放位置とに変位可能な開閉部とを備え、
前記枠体は、前記原稿支持面に隣接し、前記原稿支持面に平行な第１方向に延設される第１面と、前記第１面に連続し、前記原稿支持面に略垂直な第２方向に延設される第２面と、前記第２面と連続し、前記第１面及び前記原稿支持面に所定間隔を有して対向する第３面とを含み、
前記揺動軸心は、前記原稿支持面における所定の一辺と平行に延び、前記第２方向において前記第１面と前記第３面との間に位置し、かつ前記第１方向において前記第２面と前記原稿支持面の所定の一辺との間に位置していることを特徴とする。
【０００８】
本発明の読取装置では、揺動軸心が第２方向において第１面と第３面との間に位置しているため、第２方向における小型化を実現することができる。また、揺動軸心が第１方向において第２面と原稿支持面の所定の一辺との間に位置しているため、第１方向における大型化も抑制することができる。
【０００９】
したがって、本発明の読取装置は小型化を実現できる。
【図面の簡単な説明】
【００１０】
【図１】実施例１の複合機を示す前方からの斜視図である。
【図２】実施例１の複合機を示す後方からの斜視図である。
【図３】実施例１の複合機を示す拡大側面図である。
【図４】実施例１の複合機を示す要部拡大斜視図である。
【図５】実施例１の複合機に係り、開閉部を外した状態で本体部の後方側を示す要部拡大模式上面図である。
【図６】実施例１の複合機に係り、第１状態において開閉部を閉鎖位置にした状態のヒンジの周辺及びヒンジの断面図である。
【図７】実施例１の複合機に係り、第１状態において開閉部を開放位置にした状態のヒンジの周辺及びヒンジの断面図である。
【図８】実施例１の複合機に係り、第２状態において開閉部を閉鎖位置にした状態のヒンジの周辺及びヒンジの断面図である。
【図９】実施例１の複合機に係り、対向面と当接リブとが線接触した状態を示す要部拡大側面図である。
【図１０】実施例２の複合機に係り、開閉部を外した状態で本体部を水平に断面とし、その本体部の後方側を示す要部拡大模式断面図である。
【発明を実施するための形態】
【００１１】
以下、本発明を具体化した実施例１、２を図面を参照しつつ説明する。
【００１２】
（実施例１）
図１に示す実施例１の複合機１は、本発明の読取装置の具体的態様の一例である。図１では、操作パネル３Ｐが設けられた側を複合機１の前側と規定し、操作パネル３Ｐに向かった場合に左手に来る側を複合機１の左側と規定して、前後、左右及び上下の各方向を表示する。そして、図２以降の各図に示す各方向は、全て図１に示す各方向に対応させて表示する。以下、図１等に基づいて、複合機１が備える各構成要素について説明する。
【００１３】
＜全体構成＞
図１、２に示すように、複合機１は、本体部３と、開閉部５と、一対のヒンジ７Ａ、７Ｂとを備えている。本体部３は扁平な略箱状体をなしており、前面側には、タッチパネル等で構成された操作パネル３Ｐが設けられている。また、本体部３は、原稿支持面９と枠体１１とを有している。さらに、図３に示すように、本体部３内には、読取部１３と画像形成部１４と搬送部１５とが収容されている。
【００１４】
図１に示すように、原稿支持面９及び枠体１１は本体部３の上方に配設されている。原稿支持面９はプラテンガラスによって形成されている。より詳細には、プラテンガラスの上面によって原稿支持面９が形成されている。図６に示すように、この原稿支持面９は本体部３左右方向に延びる後辺９Ａを有している。この後辺９Ａは本発明における一辺の一例である。なお、図示を省略するものの、原稿支持面９は、後辺９Ａと平行で本体部３左右方向に延びる前辺と、後辺９Ａ及び前辺と直交して本体部３前後方向に延びる右辺及び左辺とを有しており、矩形状をなしている。原稿支持面９は、原稿の画像の読み取りを行う際、その原稿を下側から支持する。読取対象の原稿には、用紙、ＯＨＰシート等であるシートの他、書籍等が含まれる。
【００１５】
図１に示すように、枠体１１は、原稿支持面９の端縁を保持する樹脂製の枠状体である。枠体１１は、上面１１Ａと、右側面１１Ｂと、図２に示す左側面１１Ｃと、後面１１Ｄと、底面１１Ｅとを有している。また、図４に示すように、枠体１１には、湾曲面１１Ｆが形成されている。この上面１１Ａは本発明における第１面の一例である。また、後面１１Ｄは本発明における第２面の一例である。さらに、底面１１Ｅは本発明における第３面の一例である。
【００１６】
図１に示すように、上面１１Ａは、原稿支持面９に隣接しており、原稿支持面９に平行な前後方向に延設されている。この前後方向は本発明における第１方向の一例である。
【００１７】
図４に示す後面１１Ｄは、湾曲面１１Ｆを介して上面１１Ａの後端側に連続し、原稿支持面９に略垂直な高さ方向で下方に向かって延設されている。この高さ方向は本発明における第２方向の一例である。
【００１８】
左側面１１Ｃは、上面１１Ａ及び後面１１Ｄの左端と連続し、後面１１Ｄと同様に高さ方向で下方に向かって延設されている。図１に示す右側面１１Ｂは、上面１１Ａ及び後面１１Ｄの右端と連続し、後面１１Ｄと同様に高さ方向で下方に向かって延設されている。
【００１９】
図３に示す底面１１Ｅは、右側面１１Ｂ、左側面１１Ｃ及び後面１１Ｄとそれぞれ連続している。底面１１Ｅは、右側面１１Ｂ及び左側面１１Ｃにおける各高さ方向の長さに相当する分の間隔を有して、上面１１Ａ及び原稿支持面９に対向している。
【００２０】
図４に示すように、湾曲面１１Ｆは、上面１１Ａと後面１１Ｄとの間に形成されている。この湾曲面１１Ｆは、上面１１Ａと後面１１Ｄとを曲面によって接続している。これにより、図９に示すように、湾曲面１１Ｆは、上面１１Ａと後面１１Ｄとを円筒状に接続している。これらの上面１１Ａ、右側面１１Ｂ、左側面１１Ｃ、後面１１Ｄ、底面１１Ｅ及び湾曲面１１Ｆによって、枠体１１は上部が開口した略箱形状をなしており、その開口した部分に原稿支持面９が位置している。
【００２１】
図３に示すように、読取部１３は、本体部３内において原稿支持面９の下方に位置している。この読取部１３は、読取センサと、読取センサを本体部３内で左右方向に往復動させる走査機構とを有しており、原稿支持面９に支持された原稿の画像の読み取りを行う。なお、読取センサとしては、例えばＣＩＳ（Contact Image Sensor）やＣＣＤ（Charge Coupled Device）等を採用することができる。
【００２２】
画像形成部１４は、本体部３内において読取部１３の下方に位置している。この画像形成部１４は、インクジェット方式又はレーザ方式等によりシートに対して画像の形成を行う。搬送部１５は、図示しない給紙ローラや排紙ローラ等を有しており、画像形成部１４に向けてシートを搬送するとともに、画像が形成されたシートを本体部３内から排出する。
【００２３】
図１に示すように、開閉部５は、揺動軸心Ｘ周りで揺動可能に本体部３に設けられている。この揺動軸心Ｘは、原稿支持面９における後辺９Ａと平行、すなわち、本体部３の左右方向に水平に延びている。この揺動軸心Ｘについての詳細は後述する。
【００２４】
＜特徴的な構成＞
図５に示すように、枠体１１の上面１１Ａの後端には、下方に向かって凹む一対の凹部１７Ａ、１７Ｂが凹設されている。各凹部１７Ａ、１７Ｂは、それぞれ右側内壁、左側内壁、前側内壁、及び底面によって区画された空間である。前側内壁は、それぞれ上端側で上面１１Ａと接続している。また、右側内壁、及び左側内壁はそれぞれ、後端側で後面１１Ｄと接続している。また、各凹部１７Ａ、１７Ｂの底面には、本体部３内に連通する挿通孔１９Ａ、１９Ｂがそれぞれ形成されている。なお、説明を容易にするため、図５では枠体１１等の形状を簡略化して図示しているとともに、給紙トレイ３１の図示を省略している。後述する図１０についても同様である。
【００２５】
また、図６に示すように、挿通孔１９Ａ、１９Ｂの下方には、本体部３の内部に向かって凹む一対の収容部２１が形成されている。各収容部２１は、それぞれ挿通孔１９Ａ、１９Ｂを通じて凹部１７Ａ、１７Ｂと連通している。各収容部２１内には係合部２１０が突設されている。係合部２１０は、収容部２１の前側内壁の上端部から後方側に向かって突出する係合爪である。
【００２６】
図２に示すように、ヒンジ７Ａ、７Ｂは、本体部３と開閉部５との間に設けられている。より詳細には、ヒンジ７Ａは凹部１７Ａ内に配置されており、ヒンジ７Ｂは凹部１７Ｂ内に配置されている。これらのヒンジ７Ａ、７Ｂは、いずれも凹部１７Ａ、１７Ｂ内から後方に突出することなく、凹部１７Ａ、１７Ｂ内に位置している。これにより、各ヒンジ７Ａ、７Ｂは、前後方向において枠体１１の後面１１Ｄよりも内側に位置している。そして、ヒンジ７Ａ、７Ｂは、図６の断面図に示されるように、左右方向から見て、後面１１Ｄよりもさらに後方側に突出する部分が存在しない。なお、各ヒンジ７Ａ、７Ｂの構成は同様である。以下、ヒンジ７Ｂを基に構成を詳細に説明する。
【００２７】
図６に示すように、ヒンジ７Ｂは、軸支部１７０と、軸支部１７０と一体をなす基部１７１とを有している。軸支部１７０には、揺動軸心Ｘを中心軸とする円筒状の内周面１７２が形成されている。また、軸支部１７０には、内周面１７２を外部に開く切欠き１７３が揺動軸心Ｘと平行に形成されている。基部１７１は、軸支部１７０から遠隔するように下方に向かって延びている。この基部１７１の下端には、収容部２１の係止部２１０と係合可能な被係合部１７４が形成されている。
【００２８】
ヒンジ７Ｂは、挿通孔１９Ｂ側から収容部２１内に向かって基部１７１を挿通した状態で凹部１７Ｂ内に配置されている。これにより、基部１７１は収容部２１内を上下に移動可能となっている。ここで、図８に示すように、係合部２１０と被係合部１７４とが収容部２１内で係合することにより、上方に移動した基部１７１が収容部２１から抜け出すことが規制されている。こうして、ヒンジ７Ｂは、基部１７１が収容部２１内を上下に移動可能な範囲において、本体部３に対して上下に移動可能となっている。ヒンジ７Ａについても同様であり、基部１７１が収容部２１内を上下に移動可能な範囲において、本体部３に対して上下に移動可能となっている。
【００２９】
図１に示すように、開閉部５は、開閉部５を閉鎖位置に変位させた時に、複合機１の外装面１Ａ（図２参照）を形成する面とは反対側の面である裏面５Ａを備える。この裏面５Ａには、後述のように開閉部５を閉鎖位置に変位させた時に、原稿支持面９に支持されている原稿を上方から押圧する押圧部材５Ｂが取り付けられている。押圧部材５Ｂは、通常、原稿支持面９と対向する面が白色に形成された弾性部材から構成される。また、裏面５Ａの外周縁となる箇所は、裏面５Ａから突出する外周壁５Ｃが外周縁に全体にわたって形成されている。その外周壁５Ｃの裏面５Ａとは反対側の端部には、対向面５Ｄが形成されている。
【００３０】
また、開閉部５の後端側には、一対の連結部２３Ａ、２３Ｂが形成されている。各連結部２１Ａ、２３Ｂは、それぞれ第１壁部２３１と、第２壁部２３２と、図６に示す軸部２３３とを有している。図１に示すように、第１壁部２３１及び第２壁部２３２は、それぞれ裏面５Ａから本体部３側に向かって突出している。軸部２３３は、第１壁部２３１と第２壁部２３２との間に位置しており、図６に示すように、揺動軸心Ｘを中心として、本体部３の左右方向に水平に伸びている。軸部２３３は両端側でそれぞれ第１壁部２３１と第２壁部２３２とにそれぞれ接続している。
【００３１】
図６に示すように、連結部２３Ｂでは、ヒンジ７Ｂの切欠き１７３から軸支部１７０内に軸部２３３を進入させることにより、軸支部１７０に軸部２３３を支持させる。同様に、連結部２３Ａにおいても、ヒンジ７Ａの軸支部１７０に軸部２３３を支持させる。これにより、ヒンジ７Ａ、７Ｂの各軸支部１７０は、揺動軸心Ｘを構成するとともに、ヒンジ７Ａ、７Ｂを介して開閉部５が揺動軸心Ｘ周りで揺動可能に本体部３に設けられる。なお、連結部２３Ａ、２３Ｂ及びヒンジ７Ａ、７Ｂの各個数は、適宜設計することができる。
【００３２】
そして、開閉部５は、本体部３に対して揺動軸心Ｘ周りで揺動することにより、この複合機１では、開閉部５が原稿支持面９を覆う閉鎖位置（図６参照）と、原稿支持面９を露出させる開放位置（図７参照）とに変位可能となっている。さらに、この複合機１では、図６、７に示すように、ヒンジ７Ａ、７Ｂをそれぞれ本体部３の下方に移動させた状態（以下、この状態を第１状態という。）において、開閉部５を閉鎖位置と開放位置とに変位させることができる他、図８に示すように、ヒンジ７Ａ、７Ｂをそれぞれ本体部３の上方に移動させた状態（以下、この状態を第２状態という。）において、開閉部５を閉鎖位置と開放位置とに変位させることができる。また、複合機１を使用していない状態では、第１状態となる。
【００３３】
そして、開閉部５を閉鎖位置に変位させることにより、開閉部５の対向面５Ｄは、枠体１１の上面１１Ａと対向する。具体的には、図２及び図６に示すように、第１状態において開閉部５を閉鎖位置に変位させることにより、対向面５Ｄは上面１１Ａと近接した状態で対向する。また、図８に示すように、第２状態において開閉部５を閉鎖位置に変位させることにより、対向面５Ｄは上面１１Ａと遠隔した状態で対向する。
【００３４】
一方、対向面５Ｄの後端側は、第１状態において、開閉部５が閉鎖位置から開放位置に変位するにつれて、枠体１１の湾曲面１１Ｆ及び後面１１Ｄと重なるように複合機１の下方側へ変位する。そして、図９に示すように、第１状態で開閉部５が開放位置となることにより、対向面５Ｄの後端側は、枠体１１の後面１１Ｄと対向しつつ、後面１１Ｄを後方から覆うように位置する。
【００３５】
ここで、図６〜８に示すように、各ヒンジ７Ａ、７Ｂは、それぞれ枠体１１の上面１１Ａの後端に形成された凹部１７Ａ、１７Ｂ内に配置されているとともに、連結部２３Ａ、２３Ｂがそれぞれ開閉部５の後端側に位置している。さらに、図６に示すように、第１状態では、連結部２３Ａ、２３Ｂの各第１、２壁部２３１、２３２の一部と軸部２３３とがそれぞれ凹部１７Ａ、１７Ｂ内に入り込んだ状態で軸支部１７０に軸部２３３が支持される。これにより、揺動軸心Ｘは、図９に示すように、高さ方向において、枠体１１の上面１１Ａと底面１１Ｅとの間、すなわち、上面１１Ａよりも下方に位置する。そして、図６〜８に示すように、第１状態又は第２状態のいずれであっても、揺動軸心Ｘは、前後方向において、枠体１１の後面１１Ｄと原稿支持面９後辺９Ａとの間に位置する。
【００３６】
このような位置に揺動軸心Ｘを設定したことにより、この複合機１では、閉鎖位置と開放位置との間で変位するに当たって開閉部５の可動範囲を小さくすることが可能となっている。これにより、複合機１を使用する際の占有領域を小さくすることが可能となっている。
【００３７】
また、図５に示すように、枠体１１の右後端には当接リブ２７Ａが形成されており、枠体１１の左後端には当接リブ２７Ｂが形成されている。これらの当接リブ２７Ａ、２７Ｂは本発明における凸部の一例である。図８、９に示すように、当接リブ２７Ａ、２７Ｂは、開閉部５が開放位置にある時にそれぞれ開閉部５の対向面５Ｄに向かって突出している。当接リブ２７Ａ、２７Ｂは同一の構成であり、以下、当接リブ２７Ｂを基に構成を詳細に説明する。
【００３８】
図４に示すように、当接リブ２７Ｂは、第１リブ２７１と第２リブ２７２とからなる。第１リブ２７１は、後面１１Ｄに一体に形成されて高さ方向に延びている。第２リブ２７２は、湾曲面１１Ｆに一体で形成されており、第１リブ２７１と連続しつつ高さ方向に延びている。また、第２リブ２７２は、湾曲面１１Ｆに沿って湾曲するように形成されている。さらに、図５に示すように、第１、２リブ２７１、２７２は、外周面が面取り加工されており、曲面状をなしている。当接リブ２７Ａ、２７Ｂは、開閉部５が閉鎖位置と開放位置との間で変位する際、対向面５Ｄの後端側とそれぞれ当接する。図９に示すように、開閉部５が開放位置にある状態では、開閉部５の対向面５Ｄの後端側は、当接リブ２７Ｂに当接している。当接リブ２７Ａも同様に対向面５Ｄの後端側に当接する。ここで、この複合機１では、開放位置に開閉部５が到達する前から、開閉部５の対向面５Ｄと当接リブ２７Ａ、２７Ｂとが接触する可能性がある。なお、第１、２リブ２７１、２７２の各形状は適宜設計することができる。また、後面１１Ｄ及び湾曲面１１Ｆの左右方向の中央に当接リブ２７Ａのみを設けても良い。さらに、三以上の当接リブを設けても良い。
【００３９】
この複合機１では、揺動軸心Ｘの位置を図９に示すような位置に設定したことにより、開閉部５の可動範囲を小さくすることができる一方、開閉部５の可動範囲と本体部３とが近接することになる。このため、第1状態において開閉部５を閉鎖位置と開放位置との間で変位させることにより、は開閉部５の対向面５Ｄの後端側と本体部３とが接触して、異音等が発生することが想定される。しかし、当接リブ２７Ａ、２７Ｂを設けたことにより、開閉部５が閉鎖位置と開放位置との間で変位する過程において、対向面５Ｄの後端側と本体部３とが直接接触することが抑制され、異音の発生を抑制することが可能となっている。
【００４０】
また、図２に示すように、本体部３の後方には、突出面２９が形成されている。この突出面２９は本発明における第４面の一例である。突出面２９は、後面１１Ｄよりも下方に位置しており、本体部３の下端に向かって高さ方向で下方に延びている。また、突出面２９は、前後方向において、後面１１Ｄよりも外側に向かって突出している。この突出面２９は、図３に示すように、例えば建物の壁面Ｗに複合機１を隣接させて配置した際、本体部３と壁面Ｗとの間において、開閉部５が開放位置に揺動するために必要な空間Ｓを確保する。
【００４１】
そして、突出面２９は、本体部３の後面における左右の両端に設けられており、両突出面２９の間には、給紙トレイ３１が開閉可能に設けられている。給紙トレイ３１には、本体部３内の搬送部１５によって画像形成部１４へ搬送されるシートが載置される。
【００４２】
＜作動＞
この複合機１によって原稿の複写を行おうとする場合、給紙トレイ３１に印刷を行うシートを載置する。ここで、複写を行う原稿が薄い場合には、開閉部５をヒンジ７Ａ、７Ｂによって揺動軸心Ｘ周りで揺動させて開放位置とし、その原稿を本体部３の原稿支持面９に支持させる。そして、第１状態のままで開閉部５を揺動軸心Ｘ周りで揺動させて閉鎖位置とし、操作パネル３Ｐを操作することによって、原稿の画像を読取部１３に読み取らせる。本体部３内では、搬送部１５によって、給紙トレイ３１に載置されたシートが画像形成部１４に搬送され、読取部１３に読み取られた画像が画像形成部１４によってシートに印刷される。画像が印刷されたシートは搬送部１５によって本体部３内から排出される。こうして原稿の複写が完了する。
【００４３】
一方、書籍のように複写を行う原稿が厚い場合には、開閉部５を開放位置とし、その原稿を原稿支持面９に支持させた後、ヒンジ７Ａ、７Ｂを第２状態としつつ、開閉部５を閉鎖位置とする。この後、上記の原稿が薄い場合と同様に、読取部１３によってその原稿の画像を読み取らせるとともに、画像形成部１４によってシートに画像を印刷する。
【００４４】
＜作用効果＞
この複合機１では、枠体１１の後端側に凹部１７Ａ、１７Ｂが形成されているとともに、開閉部５の後端側に連結部２３Ａ、２３Ｂが位置している。これにより、第１状態では、連結部２３Ａ、２３Ｂの各第１、２壁部２３１、２３２の一部と軸部２３３とがそれぞれ凹部１７Ａ、１７Ｂ内に入り込んだ状態となる。このため、第１状態において、揺動軸心Ｘは、高さ方向において、枠体１１の上面１１Ａと底面１１Ｅとの間に位置する。つまり、この複合機１では、揺動軸心Ｘが上面１１Ａや開閉部５の対向面５Ｄよりも下方に位置することとなり、高さ方向の小型化を実現することができる。
【００４５】
また、揺動軸心Ｘは、前後方向において、枠体１１の後面１１Ｄと原稿支持面９後辺９Ａとの間に位置している。このため、揺動軸心Ｘが後面１１Ｄよりもさらに後方に位置する場合と比べて、この複合機１では、前後方向における大型化も抑制することが可能となっている。
【００４６】
さらに、ヒンジ７Ａ、７Ｂは、軸支部１７０等を凹部１７Ａ、１７Ｂから後方に突出させることなく、凹部１７Ａ、１７Ｂ内に収容されている。つまり、ヒンジ７Ａ、７Ｂは、全体として前後方向おいて、枠体１１の後面１１Ｄよりも内側に位置している。この点においても、この複合機１では、前後方向における大型化を抑制することが可能となっている。
【００４７】
特に、この複合機１では、各ヒンジ７Ａ、７Ｂの軸支部１７０によって揺動軸心Ｘが構成されているとともに、基部１７１が挿通孔１９Ａ、１９Ｂや収納部２１内を高さ方向で上下に移動可能となっている。これにより、この複合機１では、必要に応じて第１状態と第２状態とを使い分けることにより、原稿が薄い場合であっても厚い場合であっても、閉鎖状態にある開閉部５によって、原稿を原稿支持面９に押し当てつつ画像の読み取りを行うことができる。これにより、この複合機１では、開閉部５等を大型化させることなく、各種原稿の読み取りが可能となっている。
【００４８】
したがって、実施例１の複合機１は、高さ方向及び前後方向の両方において小型化を実現できる。
【００４９】
また、図９に示すように、開閉部５が開放位置と閉鎖位置との間で揺動する際、対向面５Ｄの後端側が当接リブ２７、２７Ｂと線接触することとなる。このように、この複合機１では、対向面５Ｄが当接リブ２７、２７Ｂと接触する際の接触面積が小さくなっていると共に、当接リブ２７、２７Ｂと接触することによって、対向面５Ｄの後端側が後面１１Ｄや湾曲面１１Ｆと直接面接触することがない。これにより、この複合機１では、開閉部５を開放位置や閉鎖位置に揺動させる際に異音が生じ難くなっている。
【００５０】
ここで、各ヒンジ７Ａ、７Ｂについて、本体部３を上下に移動させるに当たって、挿通孔１９Ａ、１９Ｂや収納部２１と、各基部１７１との間には不可避の間隙が生じる。このため、開閉部５を開放位置や閉鎖位置に揺動させる際、または、開閉部５を開放位置に保持したまま上下動させると、各ヒンジ７Ａ、７Ｂが振れ易くなる。これにより、後面１１Ｄや湾曲面１１Ｆと、対向面５Ｄの後端側とが面接触しつつ擦れ合うことによって、より異音が生じ易くなることが懸念される。
【００５１】
この点、この複合機１では、後面１１Ｄの左右両端にそれぞれ当接リブ２７Ａ、２７Ｂが設けられている。そして、各当接リブ２７Ａ、２７Ｂは、後面１１Ｄに形成される第１リブ２７１と、湾曲面１１Ｆに形成される第２リブ２７２とからなり、第１リブ２７１と第２リブ２７２とは連続している。これにより、上記のように各ヒンジ７Ａ、７Ｂが本体部３に対して上下に移動する場合においても、異音の発生を抑制することができる。
【００５２】
また、各当接リブ２７Ａ、２７Ｂがそれぞれ第１、２リブ２７１、２７２によって形成されていることにより、この複合機１では、後面１１Ｄ及び湾曲面１１Ｆに対して、各当接リブ２７Ａ、２７Ｂを一体化させることができ、部品点数の削減を行うことが可能となっている。
【００５３】
さらに、この複合機１では、湾曲面１１Ｆによって上面１１Ａと後面１１Ｄとを円筒状に接続されている。これにより、開閉部５の後端側と枠体１１の後端側との間に好適に空間を確保でき、開閉部５を開放位置や閉鎖位置に揺動させ易くなっている。
【００５４】
また、この複合機１では、突出面２９によって、本体部３と壁面Ｗとの間において、開閉部５が開放位置に揺動するために必要な空間Ｓを確保することができる。このため、開閉部５を開放位置に搖動させる都度、複合機１を壁面Ｗから移動させる必要がなく、設置が容易となっている。
【００５５】
そして、突出面２９は、本体部３の後面における左右の両端にそれぞれ設けられており、両突出面２９の間に給紙トレイ３１が開閉可能に設けられている。このように、両突出面２９の間を利用して給紙トレイ３１を設けることにより、本体部３に給紙トレイ３１を容易に設けることが可能となっている。
【００５６】
（実施例２）
実施例２の複合機１では、図１０に示すように、当接リブ２７Ａ、２７Ｂに換えて、当接片３３Ａ、３３Ｂが設けられている。この第１、２当接片３３Ａ、３３Ｂも本発明における凸部の一例である。また、この複合機１では、後面１１Ｄの左右両端側に切欠き３５Ａ、３５Ｂが形成されている。
【００５７】
当接片３３Ａ、３３Ｂは、対称をなす略Ｌ字形状に形成されている。当接片３３Ａは、切欠き３５Ａに嵌め込まれることによって、後面１１Ｄの右端側に取り付けられている。同様に、当接片３３Ｂは、切欠き３５Ｂに嵌め込まれることによって、後面１１Ｄの左端側に取り付けられている。これらにより、当接片３３Ａ、３３Ｂの各後端側は、開閉部５が開放位置にある時に後面１１Ｄから開閉部５の対向面５Ｄに向かって突出した状態となっている。なお、当接片３３Ａ、３３Ｂの各形状は適宜設計することができる。また、後面１１Ｄの左右方向の中央に当接片３３Ａのみを設けても良い。さらに、三以上の当接片を設けても良い。この複合機１における他の構成は、実施例１の複合機１と同様であり、同一の構成については同一の符号を付して構成に関する詳細な説明を省略する。
【００５８】
この複合機１では、開閉部５が開放位置と閉鎖位置との間で揺動する際、対向面５Ｄの後端側が当接片３３Ａ、３３Ｂの各後端と線接触する。これにより、この複合機１においても、対向面５Ｄの後端側が後面１１Ｄや湾曲面１１Ｆと直接面接触することがなく、開閉部５を開放位置や閉鎖位置に揺動させる際に異音が生じ難くなっている。
【００５９】
ここで、この複合機１において、当接片３３Ａ、３３Ｂは、後面１１Ｄ、ひいては枠体１１とは別体として取り付けられている。このため、例えば、後面１１Ｄに実施例１における当接リブ２７Ａ、２７Ｂのような凸部を設けずに形成した後であっても、事後的に凸部を後面１１Ｄに容易に設けることが可能となっている。この複合機１における他の作用は実施例１の複合機１と同様である。
【００６０】
以上において、本発明を実施例１、２に即して説明したが、本発明は上記実施例１、２に制限されるものではなく、その趣旨を逸脱しない範囲で適宜変更して適用できることはいうまでもない。
【００６１】
例えば、実施例１の複合機１において、当接リブ２７Ａ、２７Ｂに相当する部材を対向面５Ｄの後端側に設けることにより、対向面５Ｄの後端側に凸部が設けられる構成としても良い。同様に、実施例２の複合機１において、当接片３３Ａ、３３Ｂに相当する部材を対向面５Ｄの後端側に設けることにより、対向面５Ｄの後端側に凸部が設けられる構成としても良い。これらの場合、対向面５Ｄの後端側に設けられた凸部は、開閉部５が開放位置にある時に、後面１１Ｄ及び湾曲面１１Ｆに向かって突出することとなる。また、枠体１１の後面１１Ｄ及び湾曲面１１Ｆに当接リブ２７Ａ、２７Ｂを形成しつつ、対向面５Ｄの後端側に凸部を設けても良い。この場合、開閉部５が開放位置にある時に、当接リブ２７Ａ、２７Ｂは凸部に向かって突出するとともに、凸部は当接リブ２７Ａ、２７Ｂ向かって突出することとなる。実施例２の複合機１においても同様に、後面１１Ｄに当接片３３Ａ、３３Ｂを設けつつ、対向面５Ｄの後端側に当接片３３Ａ、３３Ｂに向かって突出する凸部を設けても良い。
【００６２】
また、当接リブ２７Ａ、２７Ｂについて、第１リブ２７１と第２リブ２７２とを非連続としても良い。さらに、当接リブ２７Ａ、２７Ｂについて、第１リブ２７１又は第２リブ２７２のいずれか一方のみで構成しても良い。
【００６３】
また、当接リブ２７Ａ、２７Ｂや当接片３３Ａ、３３Ｂに換えて、後面１１Ｄや湾曲面１１Ｆに半球状の突起を形成し、この突起を本発明における凸部としても良い。この場合、開閉部５が開放位置と閉鎖位置との間で揺動する際、対向面５Ｄの後端側と突起とが点接触することとなる。さらに、第１、２リブ２７１、２７２と上記の突起とを組み合わせて本発明における凸部としても良い。これらによっても、実施例１、２の複合機１と同様の効果を奏することが可能となる。
【００６４】
また、ヒンジ７Ａ、７Ｂの軸支部１７０の一部を後面１１Ｄよりも後方に突出させて形成し、開閉部５が開放位置と閉鎖位置との間で揺動する際、対向面５Ｄの後端側と軸支部１７０の一部とを接触させても良い。これによっても、開放位置と閉鎖位置との間で揺動する際に対向面５Ｄの後端側が後面１１Ｄや湾曲面１１Ｆと直接面接触することを防止することができる。
【００６５】
さらに、開閉部５に対して、原稿を搬送しながら原稿の画像を読み取る自動原稿搬送装置（Auto Document Feeder）を設けても良い。さらに、本体部３内に画像形成部１４、搬送部１５を設けず、読取装置単体として構成しても良い。
【産業上の利用可能性】
【００６６】
本発明は読取装置、複合機等に利用可能である。
【符号の説明】
【００６７】
９…原稿支持面
１１…枠体
３…本体部
１３…読取部
Ｘ…揺動軸心
５…開閉部
１１Ａ…第１面（上面）
１１Ｄ…第２面（後面）
１１Ｅ…第３面（底面）
９Ａ…一辺（後辺）
７Ａ、７Ｂ…ヒンジ
１７０…軸支部
１７１…基部
１９Ａ、１９Ｂ…挿通孔
５Ｄ…対向面
２７Ａ、２７Ｂ…凸部（当接リブ）
３３Ａ、３３Ｂ…凸部（当接片）
１…読取装置（複合機）
２７１…第１リブ
１１Ｆ…湾曲面
２７２…第２リブ
２９…第４面（突出面）
３１…給紙トレイ
【図１】
0006379882.tif 000002
【図２】
0006379882.tif 000003
【図３】
0006379882.tif 000004
【図４】
0006379882.tif 000005
【図５】
0006379882.tif 000006
【図６】
0006379882.tif 000007
【図７】
0006379882.tif 000008
【図８】
0006379882.tif 000009
【図９】
0006379882.tif 000010
【図１０】
0006379882.tif 000011